(57)【要約】【課題】ポンプ場や終末排水処理施設の水路等の覆蓋について、その設置場所の特殊性を利用し、防音や防臭、断熱、転落防止などの機能に加え、ヒートアイランド現象や地球温暖化防止に貢献するとともに、人に優しい緑化空間を創出することができる多機能型の覆蓋を提供すること。【解決手段】覆蓋の上面に周壁１２を設けて箱部１を形成するとともに、該箱部１の底壁１１に通気性及び通水性を付与し、該箱部１に土壌や植生マット２からなる植生基盤の構成材料を充填する。【選択図】図１
2006336278.tif 000002
【特許請求の範囲】
【請求項１】
水路や水槽を覆う水処理施設の覆蓋において、覆蓋の上面に周壁を設けて箱部を形成するとともに、該箱部の底壁に通気性及び通水性を付与し、該箱部に植生基盤の構成材料を充填したことを特徴とする覆蓋。
【請求項２】
箱部の底壁を、２ｍｍ角以下の網目状又は直径２ｍｍ以下の微細孔が複数配列された多孔状としたことを特徴とする請求項１記載の覆蓋。
【発明の詳細な説明】
【技術分野】
【０００１】
本発明は、生活排水などの汚水を送水し、処理を行うポンプ場や終末排水処理施設の導入水路、沈砂池、沈殿池、曝気槽などに利用される覆蓋に関し、特に、従前から要求される防音や防臭、断熱、転落防止などの機能に加え、ヒートアイランド現象や地球温暖化防止に貢献するとともに、人に優しい緑化空間を創出することができる多機能型の覆蓋に関するものである。
【背景技術】
【０００２】
上記の如くのポンプ場や終末排水処理施設は、本来、排水を送水し、処理することを目的としているが、最近では処理水の再利用や広大な敷地の利用、社会見学の場に利用するなど地域と密着した役割と調和が期待されている。
これらのポンプ場や終末排水処理施設は、広大な敷地を有するものの、その大部分は水路や水槽が占有しており、防音、防臭、断熱、転落防止などの必要性から、一般に、ＦＲＰ製の軽量覆蓋で密閉的に覆うことが主流となっている。
【０００３】
一方、取巻く環境面に目を映すと、地域的には都市部でヒートアイランド現象があり、さらに地球規模的には、ＣＯ２ガスやメタンガスなどの温室効果ガスの影響による温暖化が危倶される状況にある。
このようなことから、最近、屋上や屋根の緑化が対策の１つとして講じられるケースが増えている。
屋上や屋根を利用して植生する場合は、特許文献１に示すように、その特殊性つまり建築物を守る観点から、構造物の上に防水シート（防根シート）を施して、さらに土や肥料にあたる植生マットを重ねて緑化植物を栽培するのが一般的となっている。
【特許文献１】特開平１１−２４３７８１号公報
【０００４】
他方、前記した従来の排水処理施設等の覆蓋は、臭気に対していわゆる蓋をすることにより臭気物質が周囲に漏れないようにするものであり、蓋自体に自浄機能がなく、また、緑化技術面からみると、植物に給水した時に生じる余剰水をどのように処理し処分するかにも問題があった。
【発明の開示】
【発明が解決しようとする課題】
【０００５】
本発明は、これらの背景を総合的に勘案し、ポンプ場や終末排水処理施設の水路等の覆蓋について、その設置場所の特殊性を利用し、防音や防臭、断熱、転落防止などの機能に加え、ヒートアイランド現象や地球温暖化防止に貢献するとともに、人に優しい緑化空間を創出することができる多機能型の覆蓋を提供することを目的とする。
【課題を解決するための手段】
【０００６】
上記目的を達成するため、本発明の覆蓋は、水路や水槽を覆う水処理施設の覆蓋において、覆蓋の上面に周壁を設けて箱部を形成するとともに、該箱部の底壁に通気性及び通水性を付与し、該箱部に植生基盤の構成材料を充填したことを特徴とする。
【０００７】
この場合において、箱部の底壁を、２ｍｍ角以下の網目状又は直径２ｍｍ以下の微細孔が複数配列された多孔状とすることができる。
【発明の効果】
【０００８】
本発明の覆蓋によれば、水路や水槽を覆う水処理施設の覆蓋において、覆蓋の上面に周壁を設けて箱部を形成するとともに、該箱部の底壁に通気性及び通水性を付与し、該箱部に植生基盤の構成材料を充填することから、覆蓋からの植生基盤の流出を防止するとともに、給水時に発生した余剰水を速やかに排出し、水分過多による根腐れを防止することができ、また、余剰水は底壁より落下してポンプ場や終末処理施設の水路や水槽に送られるため、余剰水の処理や処分の問題をなくすことができる。
そして、箱部の底壁は通気性を有しているため、汚水より発生する臭気成分は底壁を通じて植生基盤と接触するが、植生基盤に含まれる土壌微生物の働きによって浄化作用を期待することができる。
また、曝気槽の覆蓋のケースでは、曝気槽で活性汚泥微生物が汚水を処理した結果、覆蓋下の空間には温室効果ガスのＣＯ２が放散されているが、覆蓋の植生基盤に植生した緑化植物の光合成の作用によりこのＣＯ２をＯ２に変換することができる。
かくして得られる効果は、このように環境や処理施設に対して直接的であると同時に、殺伐とした都会の風景の中で、緑を提供し人に優しい空間を創出できるという副次的効果も期待することができる。
【０００９】
この場合、箱部の底壁を、２ｍｍ角以下の網目状又は直径２ｍｍ以下の微細孔が複数配列された多孔状とすることにより、底壁の細孔を適当な大きさにして、覆蓋より根が下方に広がることを防止する防根の効果を発揮することができる。
【発明を実施するための最良の形態】
【００１０】
以下、本発明の覆蓋の実施の形態を、図面に基づいて説明する。
【実施例１】
【００１１】
図１に、本発明の覆蓋の一実施例を示す。
この覆蓋は、水路や水槽を覆う水処理施設の覆蓋において、覆蓋の上面に周壁１２を設けて箱部１を形成するとともに、該箱部１の底壁１１に通気性及び通水性を付与し、該箱部１に土壌や植生マット２からなる植生基盤の構成材料を充填している。
【００１２】
覆蓋の主体を構成する底壁１１は、通気性及び通水性を有する材料からなり、植物３の毛細根が通過しない程度の、２ｍｍ角以下の網目状（通常は２ｍｍ角以下、好ましくは１ｍｍ角以下）又は直径２ｍｍ以下の微細孔（通常は２ｍｍ以下、好ましくは１ｍｍ以下）が複数配列された多孔状等に形成されている。
【００１３】
覆蓋は、底壁１１の回りを周壁１２で取り囲んで箱部１を形成するとともに、底壁１１の上面に複数の小さな支柱１３を取り付けた構造としている。
支柱１３の上には、有孔の中間板１４を敷いて、給水パイプ４を備えた植生マット２を挿入するが、植生マット２が十分な強度を有して成型される場合は、中間板１４を設けずに箱部１の中に植生マット２を直接挿入することができる。
また、中間板１４を敷く場合は、植生マット状の植生基盤の構成材料でなくても、通常の栽培土や肥料を敷き詰めることもできる。
なお、植生マット２には、緑化植物３や苔類（図示省略）を植生することができる。
【００１４】
図２に、本実施例の覆蓋の取付状態を示す。
緑化植物３が植生された覆蓋は、位置決め金具６により、下水処理場の沈砂池７等の水路に動かないように取り付け、植生マット２の給水パイプ４を給水設備５に接続する。
緑化植物３は、植生マット中の肥料成分と給水パイプ４から供給される水分を利用して成長するとともに、光合成により炭酸ガスを吸収して酸素を放出するので、地球温暖化現象を助長するＣＯ２放出抑制の効果を期待することができる。
【００１５】
このとき、植生マット２に過剰に供給した水分は、底壁１１から下部の水路に自動的に排出されるため、根腐れの心配がない。
また、本実施例では、植生マット２と底壁１１の間に、支柱１３と中間板１４によって空間１ａを設けるようにしているため、通気性に優れ、良好な生育環境が維持できるようになっている。
水分は、給水設備５から給水パイプ４を介して、タイマーなどで適宜、必要量だけ散水されるため、植生マット２は常に適当な水分を維持することができ、これにより、打ち水効果のようにヒートアイランド現象を抑制することもできる。
【００１６】
一方、沈砂池７の水路からは、下水に伴う悪臭が発生するが、臭気成分は通気性を有する底壁１１を通過して植生マット中の土壌細菌により分解されるため、悪臭を防除することができる。
また、適度な湿澗状態にある植生マット２は、音に対して緩衝作用があり、下水の処理装置から発せられる騒音に対して、十分な防音効果がある。
【００１７】
かくして、本実施例の覆蓋は、水路や水槽を覆う水処理施設の覆蓋において、覆蓋の上面に周壁１２を設けて箱部１を形成するとともに、該箱部１の底壁１１に通気性及び通水性を付与し、該箱部１に土壌や植生マット２からなる植生基盤の構成材料を充填することから、覆蓋からの土壌や肥料、植生マット２の流出を防止するとともに、給水時に発生した余剰水を速やかに排出し、水分過多による根腐れを防止することができ、また、余剰水は底壁１１より落下してポンプ場や終末処理施設の水路や水槽に送られるため、余剰水の処理や処分の問題をなくすことができる。
そして、箱部１の底壁１１は通気性を有しているため、汚水より発生する臭気成分は底壁１１を通じて栽培土壌や植生マット２と接触するが、これら植生基盤に含まれる土壌微生物の働きによって浄化作用を期待することができる。
また、曝気槽の覆蓋のケースでは、曝気槽で活性汚泥微生物が汚水を処理した結果、覆蓋下の空間には温室効果ガスのＣＯ２が放散されているが、覆蓋の植生基盤に植生した緑化植物３の光合成の作用によりこのＣＯ２をＯ２に変換することができる。
かくして得られる効果は、このように環境や処理施設に対して直接的であると同時に、殺伐とした都会の風景の中で、緑を提供し人に優しい空間を創出できるという副次的効果も期待することができる。
【００１８】
また、箱部１の底壁１１を、２ｍｍ角以下の網目状又は直径２ｍｍ以下の微細孔が複数配列された多孔状とすることにより、底壁１１の細孔を適当な大きさにして、覆蓋より根が下方に広がることを防止する防根の効果を発揮することができる。
【００１９】
以上、本発明の覆蓋について、その実施例に基づいて説明したが、本発明は上記実施例に記載した構成に限定されるものではなく、例えば、覆蓋の上に複数の箱部を形成するなど、その趣旨を逸脱しない範囲において適宜その構成を変更することができる。
【産業上の利用可能性】
【００２０】
本発明は、水処理施設という設置場所の特殊性を利用し、防音や防臭、断熱、転落防止などの機能に加え、ヒートアイランド現象や地球温暖化防止に貢献するとともに、人に優しい緑化空間を創出するという特性を有していることから、広大な面積を有する下水処理場や類似の廃水処理設備、あるいは、それに付属するポンプ場などの覆蓋として好適に利用することができる。
【図面の簡単な説明】
【００２１】
【図１】本発明の覆蓋の一実施例を示す分解斜視図である。
【図２】同実施例の覆蓋の取付状態を示す断面図である。
【符号の説明】
【００２２】
１    箱部
１１  底壁
１２  周壁
１３  支柱
１４  中間板
１ａ  空間
２    植生マット（植生基盤の構成材料）
３    緑化植物
４    給水パイプ
５    給水設備
６    位置決め金具
７    沈砂池（水路）
【図１】
2006336278.tif 000003
【図２】
2006336278.tif 000004